(57)【要約】  この発明は、強化酵素適合性を有する有機触媒を備える洗浄組成物，並びにそのような洗浄組成物を作製及び使用する方法に関する。【特許請求の範囲】
【請求項１】
洗浄組成物であって、
ａ．）（ｉ） 下式で表される有機触媒、
【化１】
2008546862.tif 000010
（ｉｉ）  下式で表される有機触媒、
【化２】
2008546862.tif 000011
ただし、上式中、Ｇは、−Ｏ−、−ＣＨ２Ｏ−、−（ＣＨ２）２−、及び−ＣＨ２−から選択され、好ましくはＧは、−Ｏ−及びＣＨ２から選択され、より好ましくはＧは、−ＣＨ２−から選択され；Ｒ１は、水素又はＣ１〜Ｃ４アルキルから選択され、好ましくはＲ１は、水素、メチル、エチル、イソプロピル及び第三級ブチルから選択され、より好ましくはＲ１は、水素であり；各Ｒ２は、独立してＣ４〜Ｃ８アルキル、ベンジル、２−メチルベンジル、３−メチルベンジル、４−メチルベンジル、４−エチルベンジル、４−イソ−プロピルベンジル及び４−第三級−ブチルベンジルから選択され、好ましくはＲ２は、独立してＣ４〜Ｃ６アルキル、ベンジル、２−メチルベンジル、３−メチルベンジル及び４−メチルベンジルから選択され、より好ましくは各Ｒ２は、独立してｎ−ブチル、ｎ−ペンチル、ｎ−ヘキシル、ベンジル、２−メチルベンジル、３−メチルベンジル及び４−メチルベンジルから選択される）
（ｉｉｉ）  およびこれらの混合物、
から成る群から選択される有機触媒、と
ｂ．）１以上の補助剤成分とを含む、洗浄組成物。
【請求項２】
下記式、
【化３】
2008546862.tif 000012
（ただし、上記式中、Ｇは、−Ｏ−、−ＣＨ２Ｏ−、−（ＣＨ２）２−、及び−ＣＨ２−から選択され、好ましくはＧは、−Ｏ−及び−ＣＨ２から選択され、より好ましくはＧは、−ＣＨ２−から選択され；Ｒ１は、水素又はＣ１〜Ｃ４アルキルから選択され、好ましくはＲ１は、水素、メチル、エチル、イソ−プロピル及び第三級−ブチルから選択され、より好ましくはＲ１は、水素であり；各Ｒ２は、独立してＣ４〜Ｃ８アルキル、ベンジル、２−メチルベンジル、３−メチルベンジル、４−メチルベンジル、４−エチルベンジル、４−イソ−プロピルベンジル及び４−第三級−ブチルベンジルから選択され、好ましくはＲ２は、独立してＣ４〜Ｃ６アルキル、ベンジル、２−メチルベンジル、３−メチルベンジル及び４−メチルベンジルから選択され、より好ましくは各Ｒ２は、独立してｎ−ブチル、ｎ−ペンチル、ｎ−ヘキシル、ベンジル、２−メチルベンジル、３−メチルベンジル及び４−メチルベンジルから選択される）を有する有機触媒を含む、請求項１に記載の洗浄組成物。
【請求項３】
下記式、
【化４】
2008546862.tif 000013
（ただし、上式中、Ｇは、−Ｏ−、−ＣＨ２Ｏ−、−（ＣＨ２）２−、及び−ＣＨ２−から選択され、好ましくはＧは、−Ｏ−及び−ＣＨ２から選択され、より好ましくはＧは、−ＣＨ２−から選択され；Ｒ１は、水素又はＣ１〜Ｃ４アルキルから選択され、好ましくはＲ１は、水素、メチル、エチル、イソ−プロピル及び第三級−ブチルから選択され、より好ましくはＲ１は、水素であり；各Ｒ２は、独立してＣ４〜Ｃ８アルキル、ベンジル、２−メチルベンジル、３−メチルベンジル、４−メチルベンジル、４−エチルベンジル、４−イソ−プロピルベンジル及び４−第三級−ブチルベンジルから選択され、好ましくはＲ２は、独立してＣ４〜Ｃ６アルキル、ベンジル、２−メチルベンジル、３−メチルベンジル及び４−メチルベンジルから選択され、より好ましくは各Ｒ２は、独立してｎ−ブチル、ｎ−ペンチル、ｎ−ヘキシル、ベンジル、２−メチルベンジル、３−メチルベンジル及び４−メチルベンジルから選択される）を有する有機触媒を含む、請求項１に記載の洗浄組成物。
【請求項４】
前記１以上の補助剤成分の少なくとも１つが、活性過酸素源、酵素、界面活性剤及びこれらの混合物から選択される、請求項１〜３のいずれか一項に記載の洗浄組成物。
【請求項５】
前記組成物が、以下の補助剤成分、すなわち活性過酸素源、酵素及び界面活性剤を含む、請求項１〜４のいずれか一項に記載の洗浄組成物。
【請求項６】
前記触媒が、７０以上の酵素適合性値を有する、請求項１〜５のいずれか一項に記載の洗浄組成物。
【請求項７】
前記触媒が、８０以上の酵素適合性値を有する、請求項１〜６のいずれか一項に記載の洗浄組成物。
【請求項８】
表面又は布地を洗浄する方法であって、前記表面又は布地を、請求項１〜８のいずれか一項に記載の洗浄組成物と接触させて、次に所望により前記表面又は布地を洗濯及び／又は濯ぐ工程を含む、方法。
【発明の詳細な説明】
【技術分野】
【０００１】
本発明は、有機触媒を含む洗浄組成物、並びにそのような洗浄製品を作製及び使用する方法に関する。
【背景技術】
【０００２】
酸素漂白剤、例えば、過酸化水素は、典型的には、衣類及び種々の表面から染み及び汚れを除去するのを容易にするために使用される。残念ながら、このような剤はきわめて温度率（temperature rate）依存性が高い。結果として、このような試剤が温度のより低い溶液中で使用される場合、このような溶液の漂白作用は顕著に減少する。
【０００３】
前記性能の課題を解決するため、産業界は、「漂白活性化剤」として周知の部類の材料を開発した。しかしながら、前記材料は、４０℃未満の溶液温度で急速にその有効性を失うので、３，４−ジヒドロ−２−［２−（スルホオキシ）デシル］イソキノリミウム分子内塩等の新しい有機触媒が開発された。一般に、前記現行技術の触媒は、低温度水状態で有効であるが、特定の酵素を不活性にする可能性がある。ほとんどの洗濯及び洗浄組成物は、酵素が配合されているので、前記触媒で洗浄製品を配合すると問題を生じる可能性がある。
【発明の開示】
【発明が解決しようとする課題】
【０００４】
それ故に、処方柔軟性、低水温漂白性及び酵素適合性を組み合わせた効果を提供できる有機触媒を含む安価な洗浄組成物に対してニーズがある。
【課題を解決するための手段】
【０００５】
本発明は、強化酵素適合性を有する有機触媒を含む洗浄組成物、並びにそれを作製及び使用する方法に関する。
【発明を実施するための最良の形態】
【０００６】
定義
本明細書で使用する時、用語「洗浄組成物」は、他に指示がない限り、顆粒又は粉末形態の万能又は「重質」洗浄剤、特に洗濯洗剤、液体、ゲル又はペースト形態の万能洗浄剤、特にいわゆる重質液体型、液体の高級布地用洗剤、手洗い食器洗浄剤、又は軽質食器洗浄剤、特に高起泡型のもの、種々の錠剤、顆粒、液体及び家庭及び業務用のためのリンス補助型を含む機械食器洗浄剤、抗菌ハンドウォッシュ型、物干し棒、うがい薬、義歯クリーナー、車又はカーペット用シャンプー、浴室クリーナーを含む液体洗浄剤及び消毒剤、ヘアシャンプー及びヘアリンス、シャワージェル（ボディソープ）及び泡浴及び金属クリーナー、並びに、漂白添加物質及び「染み用スティック」、又は前処理型のような洗浄補助剤を含む。
【０００７】
本明細書で使用する「独立して、〜から成る群から選択される」という言い回しは、引用されるマーカッシュ群から選択される部分又は要素が同じか、異なるか、又は任意の要素の混合物であってもよいことを意味する。
【０００８】
本出願の試験方法の項で開示する試験方法を用いて、本出願人らの発明のパラメータの各値を求めなければならない。
【０００９】
特に記載のない限り、構成成分又は組成物の濃度は全て、前記構成成分又は組成物の活性レベルに関するものであり、市販の供給源類に存在し得る不純物類、例えば残留溶媒類又は副生成物類は除外される。
【００１０】
百分率及び比率はすべて、特に指示がない限り、重量で計算される。百分率及び比率はすべて、特に指示がない限り、組成物全体を基準にして計算される。
【００１１】
本明細書を通じて与えられるあらゆる最大数の限定は、あらゆるより小さい数値の限定を、あたかもそのようなより小さい数値の限定がここに明確に書かれているかのように包含すると理解されるべきである。本明細書全体を通じて記載されるあらゆる最小数値限定は、それよりも大きいあらゆる数値限定を、あたかもこうしたそれよりも大きい数値限定が本明細書に明確に記載されているかのように含む。本明細書全体を通じて記載されるあらゆる数値範囲は、こうしたより広い数値範囲内に入る、それよりも狭いあらゆる数値範囲を、あたかもこうしたそれよりも狭い数値範囲が全て本明細書に明確に記載されているかのように含む。
【００１２】
引用する全ての文書は、関連部分において本明細書に参考として組み込み、任意の文書の引用は、それが本発明に関して先行技術であるということの承認として解釈すべきではない。
【００１３】
有機触媒を含む洗浄組成物
出願人らは、本発明の有機触媒のＲ１及びＲ２部分の賢明な選択が改善された酵素適合性をもたらすことを見出した。理論により制限されないとはいえ、出願人らは、このことは、前記部分の前記賢明な選択の結果、水性環境の触媒の好ましい分配によると理解している
出願人らの発明の１つの態様において、出願人らの洗浄組成物は、７０以上又は更に８０以上のの酵素適合性値を有する有機触媒を含む。
【００１４】
出願人らの発明の１つの態様において、出願人らの洗浄組成物は、下記の式１若しくは式２又はその混合物を有する有機触媒を含む。
【化１】
2008546862.tif 000002
【化２】
2008546862.tif 000003
【００１５】
ただし、上式中、Ｇは、−Ｏ−、−ＣＨ２Ｏ−、−（ＣＨ２）２−、及び−ＣＨ２−から選択される。Ｒ１は、水素又はＣ１〜Ｃ４アルキルから選択される。好適なＣ１〜Ｃ４アルキル部分は、メチル、エチル、イソ−プロピル及び第三級−ブチルを包含するがこれらに限定されない。各Ｒ２は、独立してＣ４〜Ｃ８アルキル、ベンジル、２−メチルベンジル、３−メチルベンジル、４−メチルベンジル、４−エチルベンジル、４−イソ−プロピルベンジル及び４−第三級−ブチルベンジルから選択される。好適なＣ４〜Ｃ８アルキル部分は、ｎ−ブチル、ｎ−ペンチル、シクロペンチル、ｎ−ヘキシル、シクロヘキシル、シクロヘキシルメチル、ｎ−ヘプチル及びオクチルを含むがこれらに限定されない。
【００１６】
発明の１つの態様において、Ｇは、−Ｏ−及び−ＣＨ２−から選択される。Ｒ１は、水素、メチル、エチル、イソ−プロピル及び第三級−ブチルから選択される。各Ｒ２は、独立してＣ４〜Ｃ６アルキル、ベンジル、２−メチルベンジル、３−メチルベンジル及び４−メチルベンジルから選択される。
【００１７】
発明の１つの態様において、Ｇは、−ＣＨ２−であり、Ｒ１は、水素であり、各Ｒ２は、独立してｎ−ブチル、ｎ−ペンチル、ｎ−ヘキシル、ベンジル、２−メチルベンジル、３−メチルベンジル及び４−メチルベンジルから選択される。
【００１８】
前記洗浄組成物の任意の態様の残部は、１以上の補助剤材料で作製される。
【００１９】
好適な有機触媒を作製する方法
好適な有機触媒は、バッチ、半バッチ及び連続プロセスを含む種々の反応槽並びに方法を使用し製造できる。触媒（式１）の一種を含有する好適なイミニウムは、実施例及びそこに包含される参照に記載された一般の手順に従って製造できる。前記触媒の一種を含有するオキサジリディニウム（oxaziridinium）環は、前記触媒の一種を含有するイミニウムをペルオキシカルボン酸又はペルオキシ一硫酸等の酸素移動剤と接触することにより製造できる。このような種は、その場で形成することができ、精製せずに使用することができる。
【００２０】
出願人の有機触媒を含む洗浄組成物及び洗浄組成物添加物
本発明の洗浄組成物は、例えば、洗濯用途、硬質表面洗浄、自動食器洗浄用途、並びに義歯、歯、毛髪及び皮膚のような化粧用途において有利に使用されることができる。しかしながら、低温溶液中での効率向上と優れた酵素適合性の両方の特有の利点により、本発明の有機触媒は、洗剤又は洗濯漂白添加剤を含有する漂白剤の使用による布地の漂白等の洗濯アプリケーションに理想的に好適である。さらに、本発明の有機触媒は、顆粒及び液体組成物の両方で使用してもよい。
【００２１】
本発明の有機触媒は、洗浄添加剤製品にも用いられてもよい。本発明の有機触媒を包含する洗浄添加剤は、理想的には、追加的な漂白効果が望まれる時に洗浄プロセスに包含するのに好適である。前記の例として、低温溶液洗浄アプリケーションが挙げられるが、これに限定されない。添加物製品は、最も単純な形態における出願人の有機触媒になる可能性がある。好ましくは、添加物は、過酸素供給源が使用され、漂白効果が増大することが望まれる洗浄工程に追加するための剤形でパッケージできる。このような単一剤形は、丸薬、錠剤、ジェルキャップ又は予め測定された粉末若しくは液体のような他の単一用量単位を含んでもよい。充填剤又は担体物質は、このような組成物の体積を増加させるために包含されてもよい。適した充填剤又は担体物質としては、硫酸塩、炭酸塩及びケイ酸塩という様々な塩、並びにタルク、粘土等が挙げられるが、これらに限定されない。液体組成物のための充填剤又は担体物質は、水又はポリオール及びジオールを含めた低分子量の一級及び二級アルコールであってもよい。このようなアルコールの例としては、メタノール、エタノール、プロパノール及びイソプロパノールが挙げられるが、これらに限定されない。該組成物は、このような物質を約５％〜約９０％含有してもよい。酸性充填剤は、ｐＨを下げるために使用することができる。あるいは、洗浄添加物は、以下に規定される活性化過酸化物供給源、又は以下に完全に規定されるような補助剤成分を含んでもよい。
【００２２】
出願人の洗浄組成物及び洗浄添加物は、触媒的に有効量の出願人の有機触媒を必要とする。このような触媒の必要濃度は、出願人の有機触媒を１種以上添加することによって達成させることができる。この発明を制限するのではなく、実用的な方法として、本明細書の組成物及び洗浄方法は、調整でき、洗浄溶液中に少なくとも０．００１ｐｐｍ、約０．００１ｐｐｍ〜約５００ｐｐｍ、約０．００５ｐｐｍ〜約１５０ｐｐｍ、更に約０．０５ｐｐｍ〜約５０ｐｐｍ程度の出願人らの有機触媒を備える。洗浄溶液中の前記レベルを得るため、本明細書の典型的な組成物は、洗浄組成物の約０．０００２重量％〜約５重量％、更に約０．００１重量％〜約１．５重量％の有機触媒を含んでよい。
【００２３】
出願人の有機触媒が、顆粒状組成物中で使用される場合、出願人の有機触媒がカプセル化粒子の形態であり、保存中に、顆粒状組成物の湿気及び／又は他の成分から出願人の有機触媒を保護することが望ましい場合がある。それに加えて、カプセル化はまた、洗浄方法中の出願人の有機触媒の利用可能性を制御する手段であり、出願人の有機触媒の漂白性能を高めることができる。この観点において、出願人の有機触媒は、当該分野で既知の任意のカプセル化材料を用いてカプセル化することができる。
【００２４】
カプセル化材料は、典型的には、出願人の有機触媒の少なくとも一部分、好ましくはすべてをカプセル化する。典型的には、カプセル化材料は水溶性及び／又は水分散性である。カプセル化材のガラス転移温度（Ｔｇ）は０℃以上であってもよい。
【００２５】
カプセル化材料は、好ましくは、炭水化物類、天然又は合成ガム、キチン及びキトサン、セルロース及びセルロース誘導体、シリケート類、ホスフェート類、ボレート類、ポリビニルアルコール、ポリエチレングリコール、石蝋並びにこれらの組み合わせから成る群から選択される。好ましくはカプセル化材は炭水化物であり、典型的には単糖類、オリゴ糖、多糖類、及びこれらの組み合わせから成る群から選択する。最も好ましくはカプセル化材はデンプンである。好ましいデンプン類は、ＥＰ０９２２４９９；米国特許第４，９７７，２５２号；米国特許第５，３５４，５５９及び米国特許第５，９３５，８２６号中に記載されている。
【００２６】
カプセル化材は、熱可塑性樹脂、アクリロニトリル、メタクリロニトリル、ポリアクリロニトリル、ポリメタクリロニトリル及びこれらの混合物等のプラスチックから作製される微小球であってよく；使用可能な市販の微小球は、スウェーデン、ストックビクスベルケン（Stockviksverken）のエクスパンセル（Expancel）により商標エクスパンセル（登録商標）のもとに供給されるもの、並びにアメリカ合衆国、ペンシルバニア州、バレー・フォージ（Valley Forge）のＰＱ社（PQ Corp）により商品名ＰＭ６５４５、ＰＭ６５５０、ＰＭ７２２０、ＰＭ７２２８、エクステンドスフィアズ（Extendospheres）（登録商標）、ラクシル（Luxsil）（登録商標）、Ｑ−セル（Q-cel）（登録商標）及びスフェリセル（Sphericel）（登録商標）のもとに供給されるものである。
【００２７】
本明細書の洗浄組成物は、好ましくは、水性洗浄操作に使用時、洗浄水が約６．５〜約１１、又は更に約７．５〜約１０．５のｐＨを有するように配合されるものとする。液体皿洗い製品処方は、約６．８〜約９．０のｐＨを有してよい。洗濯製品は、典型的に約９〜約１１のｐＨを有する。推奨使用レベルでｐＨを制御する技術としては、緩衝剤、アルカリ、酸等の使用が挙げられ、当業者に周知である。
【００２８】
補助剤物質
本発明の目的には必須でないが、以下に例示される補助剤の非限定的なリストは、当該組成物において使用するのに適しており、例えば、洗浄性能を補助若しくは向上させるために、洗浄されるべき基材の処理のために、または香料、着色剤、染料などを用いる場合のように洗浄組成物の審美性を変化させるために、本発明の特定の実施形態に組み込まれるのが望ましい。このような追加的成分の明確な性質、及びそれを組み込む濃度は、組成物の物理的形態及び使用されるべき洗浄作業の性質に依存する。好適な補助剤材料としては、界面活性剤、ビルダー、キレート剤、移染防止剤、分散剤、酵素および酵素安定剤、触媒作用性物質、漂白活性化剤、過酸化水素、過酸化水素供給源、予備形成過酸類、ポリマー分散剤、粘土汚れ除去／再付着防止剤、増白剤、起泡抑制剤、染料、香料、構造伸縮性付与剤、柔軟仕上げ剤、キャリア、向水性物質、加工助剤、溶媒、および／または顔料が挙げられるが、これらに限定されない。下記の開示に加え、このようなその他の補助剤の適した例及び使用濃度は、米国特許第５，５７６，２８２号、米国特許第６，３０６，８１２Ｂ１号及び米国特許第６，３２６，３４８Ｂ１号に見出され、これらを本明細書に参考として組み込む。
【００２９】
上述の如く、前記補助成分は、本出願人らの組成物にとって必須ではない。従って、本出願人らの組成物の特定の実施形態は、次の補助剤材料の１以上を含有しない：界面活性剤、ビルダー、キレート剤、移染防止剤、分散剤、酵素、および酵素安定剤、触媒材料、漂白活性化剤、過酸化水素、過酸化水素源、予備形成過酸類、ポリマー分散剤、粘土汚れ除去／再付着防止剤、増白剤、起泡抑制剤、染料、香料、構造弾性化剤、柔軟仕上げ剤、キャリア、向水性物質、加工助剤、溶媒および／または顔料。しかしながら、１以上の補助剤が存在する場合、当該１以上の補助剤は、以下に詳細に記載されるように存在してもよい。
【００３０】
漂白剤−本発明の洗浄組成物は、１以上の漂白剤を含んでよい。漂白触媒類以外の好適な漂白剤としては、光漂白剤、漂白活性化剤、過酸化水素、過酸化水素供給源、予備形成過酸及びこれらの混合物が挙げられる。一般的に、漂白剤が使用される場合、本発明の組成物は、標記洗浄組成物の約０．１重量％〜約５０重量％又は更に約０．１重量％〜約２５重量％の漂白剤を含んでよい。好適な漂白剤の例としては、
（１）光漂白剤、例えばスルホン酸化亜鉛フタロシアニン、
（２）プレフォーム過酸：好適なプレフォーム過酸としてはペルカルボン酸及び塩、ペル炭酸及び塩、ペルイミド酸及び塩、ペルオキシ一硫酸及び塩、例えばオキシゾン（Oxzone）（登録商標）並びにこれらの混合物から成る群から選択される化合物が挙げられるがこれらに限定されない。好適なペルカルボン酸としては、式Ｒ−（Ｃ＝Ｏ）Ｏ−Ｏ−Ｍ（式中、Ｒは、過酸が疎水性の場合、６〜１４炭素原子、過酸が親水性の場合、６炭素原子未満又は更に４炭素原子未満を有する所望により分枝したアルキル基であり、Ｍは、対イオン、例えば、ナトリウム、カリウム又は水素である）を有する疎水性及び親水性の過酸が挙げられる。
（３）アルカリ金属塩類、例えば過ホウ酸塩（通常は、一又は四−水和物）、過炭酸塩、過硫酸塩、過リン酸塩、過ケイ酸塩のナトリウム塩類及びこれらの混合物を含む、過酸化水素供給源（例えば、無機過水和物塩類）。発明の１つの態様では、前記無機過水和物塩は、過ホウ酸塩のナトリウム塩、過炭酸塩及びこれらの混合物から成る群から選択される。無機過水和物塩（用いた場合）は、典型的には、全組成物の０．０５〜４０重量％、又は１〜３０重量％の量で存在し、典型的には、当該組成物中へ結晶固形物（コーティングされていてもよい）として組み込まれる。好適なコーティングとしては、無機塩（アルカリ金属ケイ酸塩、炭酸塩若しくはホウ酸塩又はこれらの混合物など）、又は有機物質（水溶性若しくは分散性ポリマー、ワックス、油又は脂肪石鹸など）が挙げられる。及び、
（４）Ｒ−（Ｃ＝Ｏ）−Ｌを有する漂白活性化剤類。［式中、Ｒはアルキル基であり、所望により分岐しており、前記漂白活性化剤が疎水性の場合には、６〜１４個の炭素原子、又は８〜１２個の炭素原子を有し、前記漂白活性化剤が親水性の場合、６個未満の炭素原子、又は更に４個未満の炭素原子を有し、Ｌが、脱離基である。］好適な脱離基の例は、安息香酸及びその誘導体（特に、ベンゼンスルホネート）である。好適な漂白活性化剤類としては、ドデカノイルオキシベンゼンスルホネート、デカノイルオキシベンゼンスルホネート、デカノイルオキシ安息香酸又はその塩類、３，５，５−トリメチルヘキサノイルオキシベンゼンスルホネート、テトラアセチルエチレンジアミン（ＴＡＥＤ）及びノナノイルオキシベンゼンスルホネート（ＮＯＢＳ）が挙げられる。又、好適な漂白活性化剤が、ＰＣＴ国際公開特許ＷＯ９８／１７７６７に開示されている。任意の好適な漂白活性化剤が使用されてよいが、発明の１つの態様において、主題の洗浄組成物は、ＮＯＢＳ、ＴＡＥＤ又はその混合物含んでよい。
【００３１】
過酸及び／又は漂白活性化剤（存在する場合）は、一般に、組成物を基準にして、約０．１〜約６０重量％、約０．５〜約４０重量％又は更に約０．６〜約１０重量％の量で、組成物中に存在する。１以上の疎水性過酸類又はその前駆体は、１以上の親水性過酸又はその前駆体と組み合わせて使用してもよい。
【００３２】
過酸化水素供給源及び過酸又は漂白活性化剤の量は、有効酸素（過酸化物供給源より供給される）対過酸のモル比が、１：１〜３５：１、又は更に２：１〜１０：１となるように選択してよい。
【００３３】
界面活性剤−本発明による洗浄組成物は、界面活性剤又は界面活性剤系を含んでよく、界面活性剤は、非イオン性界面活性剤、アニオン性界面活性剤、カチオン性界面活性剤、両性界面活性剤、双極性界面活性剤、半極性非イオン性界面活性剤及びこれらの混合物から選択されることができる。界面活性剤（存在する場合）は、典型的には、標記組成物の約０．１重量％〜約６０重量％、約１重量％〜約５０重量％又は更に約５重量％〜約４０重量％の濃度で存在する。
【００３４】
ビルダー類−本発明の洗剤組成物は、１以上の洗剤ビルダー又はビルダー系を含んでよい。ビルダーを使用する場合、標記組成物は、典型的には、標記組成物の少なくとも約１重量％、約５重量％〜約６０重量％、又は更に約１０重量％〜約４０重量％のビルダーを含む。
【００３５】
ビルダー類には、ポリホスフェートのアルカリ金属塩、アンモニウム塩及びアルカノールアンモニウム塩、アルカリ金属ケイ酸塩、アルカリ土類及びアルカリ金属の炭酸塩、アルミノケイ酸塩ビルダー類とポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸及びカルボキシメチルオキシコハク酸、エチレンジアミン四酢酸及びニトリロ三酢酸のようなポリ酢酸の様々なアルカリ金属塩、アンモニウム塩及び置換アンモニウム塩、並びに、例えばメリト酸、コハク酸、クエン酸、オキシジコハク酸、ポリマレイン酸、ベンゼン１，３，５−トリカルボン酸、カルボキシメチルオキシコハク酸などのポリカルボキシレート、並びにこれらの可溶性塩が挙げられるが、これらに限定されない。
【００３６】
キレート剤−本明細書の洗浄組成物は、キレート剤を含有してもよい。好適なキレート剤としては、銅、鉄及び／又はマンガンキレート剤及びこれらの混合物が挙げられる。キレート剤を使用する場合、標記組成物は、標記組成物の約０．００５重量％〜約１５重量％、又は更に約３．０重量％〜約１０重量％のキレート剤を含んでよい。
【００３７】
染料移行防止剤−本発明の洗浄組成物はまた、１以上の染料移行抑制剤を含んでもよい。好適な高分子染料移行防止剤には、ポリビニルピロリドンポリマー類、ポリアミンＮ−オキシドポリマー類、Ｎ−ビニルピロリドン及びＮ−ビニルイミダゾールのコポリマー類、ポリビニルオキサゾリドン類及びポリビニルイミダゾール類、又はこれらの混合物が挙げられるが、これらに限定されない。標記組成物中に存在する場合、染料移行防止剤は、組成物の約０．０００１重量％〜約１０重量％、約０．０１重量％〜約５重量％、又は更に約０．１重量％〜約３重量％の濃度で存在してよい。
【００３８】
増白剤−本発明の洗浄組成物は、洗浄される物品に色合いを付けることもできる追加成分（蛍光光沢剤など）を含有することもできる。好適な蛍光増白剤濃度としては、約０．０１重量％、約０．０５重量％、約０．１重量％、更には約０．２重量％の低い濃度から、０．５重量％又は更に０．７５重量％の高い濃度までが挙げられる。
【００３９】
分散剤−本発明の組成物はまた、分散剤を含むことができる。好適な水溶性有機物質類としては、ホモポリマー又はコポリマーの酸類又はそれらの塩類が挙げられ、それらのうちのポリカルボン酸は、互いに炭素原子２個を超えない程度に離れている少なくとも２個のカルボキシルラジカルを含む。
【００４０】
酵素類−洗浄組成物は、クリーニング性能及び／又は布地ケア効果を提供する１以上の酵素を含むことができる。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポオキシゲナーゼ、リグニナーゼ（ligninases）、プルラナーゼ、タンナーゼ、ペントサナーゼ（pentosanases）、マラナーゼ（malanases）β−グルカナーゼ、アラビノシターゼ（arabinosidases）、ヒアルロニダーゼ、コンドロイチンナーゼ、ラッカーゼ、及びアミラーゼ又はその混合物が挙げられるが、これらに限定されない。典型的な組み合わせは、例えば、プロテアーゼ及びリパーゼをアミラーゼとともに含んでよい酵素反応混液である。洗浄組成物中に存在する場合、上述した酵素類は、組成物の約０．００００１重量％〜約２重量％、約０．０００１重量％〜約１重量％、又は更に約０．００１重量％〜約０．５重量％の濃度の酵素タンパク質で存在してよい。
【００４１】
酵素安定剤−種々の技法によって、洗剤で使用する酵素類を安定化させることができる。本明細書に用いられる酵素類は、カルシウムイオン及び／又はマグネシウムイオンを酵素に供給する、最終組成物中のカルシウム及び／又はマグネシウムイオンの水溶性供給源の存在によって安定化させることができる。プロテアーゼを含む水性組成物の場合、更に安定性を改善するために、可逆性蛋白質分解酵素抑制剤（ホウ素化合物など）を添加することができる。
【００４２】
触媒金属錯体−本出願人らの洗浄組成物は、触媒金属錯体を含むことができる。金属含有漂白触媒の１つの種類は、銅、鉄、チタン、ルテニウム、タングステン、モリブデン、又はマンガンの陽イオンのような、限定された漂白触媒活性の遷移金属陽イオン、亜鉛又はアルミニウムの陽イオンのような、漂白触媒活性をほとんど又は全くもたない補助金属陽イオン、並びに触媒金属および補助金属の陽イオンに対して限定された安定度定数を有する金属イオン封鎖剤、特にエチレンジアミン四酢酸、エチレンジアミンテトラ（メチレンホスホン酸）及びそれらの水溶性の塩類を含む触媒系である。このような触媒は、米国特許第４，４３０，２４３号に開示される。
【００４３】
所望する場合、本明細書の組成物はマンガン化合物を用いて触媒作用され得る。このような化合物及び使用濃度は当該技術分野で周知であり、例えば、米国特許第５，５７６，２８２号に開示されるマンガン系触媒が挙げられる。
【００４４】
本明細書で有用なコバルト漂白剤触媒は周知であり、例えば、米国特許第５，５９７，９３６号、同第５，５９５，９６７号に記載されている。前記コバルト触媒は、例えば米国特許第５，５９７，９３６号及び同第５，５９５，９６７号で教示等の既知の手順で容易に調製される。
【００４５】
又、本明細書の組成物は、好適にビスピドン（bispidones）（ＷＯ０５／０４２５３２Ａ１）等の配位子及び／又はマクロ多環剛性配位子−「ＭＲＬｓ」と略す−の遷移金属錯体を含む。この発明を制限するのではなく、実用的な方法として、本明細書の組成物及び方法は、調整でき、水性洗浄媒質中に少なくとも１ｐｐｍ程度の活性ＭＲＬ種を備え、典型的には、洗浄液中に約０．００５ｐｐｍ〜約２５ｐｐｍ、約０．０５ｐｐｍ〜約１０ｐｐｍ、又は更に約０．１ｐｐｍ〜約５ｐｐｍのＭＲＬを備える。
【００４６】
本遷移金属漂白触媒における好適な遷移金属としては、例えばマンガン、鉄及びクロムが挙げられる。好適なＭＲＬとしては、５，１２−ジエチル−１，５，８，１２−テトラアザビシクロ［６．６．２］ヘキサデカンが挙げられる。
【００４７】
好適な遷移金属ＭＲＬは、既知の手順、例えば、ＰＣＴ国際公開特許ＷＯ００／３２６０１、及び米国特許第６，２２５，４６４号にて教示される手順によって容易に調製される。
【００４８】
溶媒−好適な溶媒としては、水及び他の溶媒（例えば、親油性流体）が挙げられる。好適な親油性流体の例としては、シロキサン類、その他のシリコーン類、炭化水素類、グリコールエーテル類、例えばグリセリンエーテル類などのグリセリン誘導体類、ペルフルオロ化アミン類、ペルフルオロ化及びハイドロフルオロエーテル溶媒類、低揮発性の非フッ素化有機溶媒類、ジオール溶媒類、環境に優しいその他の溶媒類、並びにこれらの混合物が挙げられる。
【００４９】
洗浄及び／又は処理用組成物の製造方法
本発明の洗浄組成物は、任意の好適な形態に配合でき、配合者によって選ばれる任意の方法で調製できる、その非限定的な実施例が、出願人らの実施例及び米国特許第５，８７９，５８４号、同第５，６９１，２９７号、同第５，５７４，００５号、同第５，５６９，６４５号、同第５，５６５，４２２号、同第５，５１６，４４８号、同第５，４８９、３９２号、同第５，４８６，３０３号に記載されており、その全てが参照により本明細書に組み入れられる。
【００５０】
使用方法
本発明は、ある場所（situs）、とりわけ表面又は布地を洗浄するための方法を含む。前記方法は、本出願人らの洗浄組成物の実施形態を希釈していない形態で又は洗浄溶液中に希釈して表面又は布地の少なくとも一部分に接触させ、次に所望により前記表面又は布地を濯ぐ工程を含む。表面又は布地は前述のすすぎ工程の前に洗浄工程にさらされてもよい。本発明の目的上、洗浄することは、擦ること及び機械的攪拌を含むが、これらに限定されない。当業者に理解されるように、本発明の洗浄組成物は理想的には洗濯用途に用いるのに適している。それ故に、本発明は布地を洗濯するための方法を含む。この方法は、洗濯されるべき布地を本出願の洗浄組成物の少なくとも１つの実施形態、洗浄添加物、又はこれらの混合物を含む前記洗浄洗濯溶液と接触させる工程を含む。布地は、通常の消費者の使用条件で洗濯され得るほとんどいかなる布地を含んでもよい。好ましくは、溶液は、約８〜約１０．５のｐＨを有する。組成物は、溶液中約５００ｐｐｍ〜約１５，０００ｐｐｍの濃度で使用されてよい。水温は、典型的には約５℃〜約９０℃の範囲である。水対布地の比率は、典型的には約１：１〜約３０：１である。
【００５１】
有機触媒／酵素適合性試験
下記の試験は、αアミラーゼ活性検定を使用し、有機触媒の酵素に及ぼす影響を測定する。
【００５２】
装置４１５ナノメートルで測定可能なＵＶ／Ｖｉｓ分光光度計、４０℃にすることが可能な加熱磁性攪拌器、５ｍＬルアーロック（Luer lock）注射器、及びフィルター（アクロデイスク（Acrodisc）０．４５μｍ）、ｐＨ計、並びにはかり（４桁分析）<mu>m)
試薬メルク社アミラーゼキット（Merck Amylase Kit）（メルク社欧州研究所（Merck Eurolab）、Ｃａｔ．Ｎｏ．１．１９７１８．０００１）；トリズマベース（Trizma Base）（シグマ（Sigma）Ｃａｔ＃Ｔ−１５０３又は同等物）；塩化カルシウム二水和物（シグマ（Sigma）Ｃａｔ＃Ｃ−５０８０又は同等物）；チオ硫酸ナトリウム五水和物（シグマ（Sigma）Ｃａｔ＃Ｓ−６６７２又は同等物）；塩酸（ＶＷＲ  Ｃａｔ＃ＪＴ９５３５−０又は同等物）；硬度溶液（ＣＴＣ族、３．００ｇ／ｃｃ又は同等物）；過炭酸ナトリウム；過酢酸（アルドリッヒ（Aldrich）、Ｃａｔ＃２６９３３−６又は同等物）；アミラーゼ酵素；ターマミル（Termamyl）、ナタラーゼ（Natalase）及びデュラミル（Duramyl）（デンマークのノボザイムス（Novozymes））；酵素を含有しない粒状洗剤マトリックス、有機触媒又は漂白剤
【００５３】
１．）溶液の調製：以下を調製する。  
ａ．）トリス検定緩衝剤１リットルの０．１Ｍトリス緩衝剤、０．５％チオ硫酸ナトリウム（Ｗ／Ｖ）、０．１１％塩化カルシウム（Ｗ／Ｖ）をｐＨ８．３で調製する。
ｂ．）ブランク洗剤溶液２５０ｐｐｍＨ２Ｏ２（０．７７ｇ過炭酸塩）及び１０ｇｐｇ硬度（８８０ＵＩ硬度）である１リットルの脱イオン水（Ｗ／Ｖ）中０．５％酵素及び漂白剤の無い粒状洗剤を調製する。
ｃ．）ターマミル（Termamyl）、デュラミル（Duramyl）及びナタラーゼ（Natalase）在庫トリス緩衝剤１ｍＬ当たり０．１６３３ｍｇの活性ターマミル（Termamyl）、トリス緩衝剤１ｍＬ当たり０．１１５９ｍｇの活性ナタラーゼ（Natalase）及びトリス緩衝剤１ｍＬ当たり０．１５９６ｍｇの活性デュラミル（Duramyl）各々の１００ｍＬ溶液を作製する。
ｄ．）有機触媒在庫メタノール溶液中５００ｐｐｍの有機触媒を作製する。
ｅ．）過酢酸在庫脱イオン水３９５５ｐｐｍの過酢酸溶液を作製する。
ｆ．）アミラーゼ（Amylase）試薬小びん３を使用し小びん（容器）１及び２を調製して、その後１及び２を混合するメルクキット（Merck kit）手順に従いアミラーゼ活性分析に使用する最終試薬を作製する。
【００５４】
２．）試料分析
ａ．）酵素だけを用いた試料の分析：１００ｍＬのブランク洗剤溶液を１５０ｍＬのビーカーに添加する。ビーカーを加熱攪拌プレート上に置き、攪拌した状態で温度を４０℃にする。酵素在庫ＹμＬをビーカーに添加する、ここでデュラミル（Duramyl）の場合はＹ＝６１２μＬ、ターマミル（Termamyl）の場合はＹ＝３０６μＬ、又はナタラーゼ（Natalase）の場合はＹ＝９１８μＬである。対象となっている酵素だけを加える。試料を１分間攪拌する。タイマーをスタートする。７分４５秒で試料を取り出し、０．４５μｍ注射器フィルター（５ｍＬ注射器）を使用して試料を濾過する。６ｍＬの濾過した試料を２５０ｍＬのアミラーゼ試薬とキュベット内で混合し、キュベットをＵＶ／ＶＩＳ分光光度計内に定置し、４１５ナノメートルで吸光度の変化をモニターする。吸光度指数１．０を得るために必要な秒単位での時間長さ（ｔＥ）を酵素毎に決定する。以下の工程２．）ｂ．）及び２．）ｃ．）において、各酵素のｔＥを使用する。
ｂ．）酵素及び過酢酸だけを用いた試料の分析。酵素添加後以外は工程２．）ａ．）に従い、溶液を１分間攪拌させ、次に１２７μＬの過酢酸在庫を添加し、タイマーをスタートする。工程２．）ａ．）のように７分４５秒で試料を取り出す。試料と試薬が混合したら、それぞれの酵素についてｔＥでの吸光度を記録する。前記吸光度Ａｂを示す。
ｃ．）酵素、過酢酸及び有機触媒を用いた試料の分析。酵素添加後以外は工程２．）ａ．）に従い、溶液を１分間攪拌させ、次に１２７μＬの過酢酸在庫と１００μＬの有機触媒在庫を添加し、タイマーをスタートする。工程２．）ａ．）のように７分４５秒で試料を取り出す。試料と試薬が混合したら、それぞれの酵素についてｔＥでの吸光度を記録する。前記吸光度Ａｃを示す。
【００５５】
３．）酵素適合性値（ＥＣＶ）の計算
ａ．）具体的な酵素、すなわちターマミル（termamyl）（ＥＣＶｔｅｒ）、デュラミル（duramyl）（ＥＣＶｄｕｒ）及びナタラーゼ（（ＥＣＶｎａｔ）毎にＥＣＶを計算する。任意の具体的な酵素のＥＣＶは、（Ａｃ／Ａｂ）ｘ１００であり、式中、Ａｂ及びＡｃは、その酵素について工程２．）ｂ．）及び２．）ｃ．）で各々決定された値である。
ｂ．）所定の有機触媒のＥＣＶは、３つの酵素の個々のＥＣＶ値の平均である。従って、ＥＣＶ＝（ＥＣＶｔｅｒ＋ＥＣＶｄｕｒ＋ＥＣＶｎａｔ）／３となる。
【実施例】
【００５６】
指示がない限り、材料は、アメリカ合衆国、ウイスコンシン州、ミルウオーキー（Milwaukee）、私書箱２０６０から入手できる。
【００５７】
（実施例１）：３，４−ジヒドロ−４，４−ジベンジル−２−（３−スルホプロピル）イソキノリニウム、内部塩の調製
【化３】
2008546862.tif 000004
【００５８】
工程１．α，α−ジブチル−ベンゼンアセトニトリル（２）の調製：乾燥アルゴン入口、磁気攪拌棒及び温度計を備えた火焔乾燥５００ｍＬ三つ口丸底フラスコにシアン化ベンジル（（１）、５．０ｇ；０．０４３モル）及びテトラヒドロフラン（１００ｍＬ）を添加する。水素化ナトリウム（油中６０％）（７．２ｇ、０．１０７５モル）を１時間にわたってゆっくり反応物に添加する。添加が完了すると、反応物を室温で１時間攪拌する。臭化ベンジル（１８．４g、０．０４３モル）を反応物に添加し、その反応物を５０℃で１８時間攪拌する。反応物を蒸発乾固し、残留物をトルエンに溶解し、１Ｎ  ＨＣｌで洗う。有機相をＮａ２ＳＯ４で乾燥し、濾過蒸発し、α，α−ジブチル−ベンゼンアセトニトリル（２）、重量＝７．７ｇ（６５％）を得る。
【００５９】
工程２．１−アミノ−２，２、ジブチル−２−フェニルエタン（３）の調製：α，α−ジブチル−ベンゼンアセトニトリル（（２）、７．０ｇ、０．０２３７モル）を室温で１８時間ボラン−ＴＨＦ錯体中に溶解する（１．１当量）。反応が完了したら、エタノール（５０ｍＬ）を添加し、反応物を乾燥度に蒸発する。乾燥後、残留物を１００ｍＬの１Ｍ  ＨＣｌに懸濁し、該懸濁液をロータリーエバポレータで蒸発乾固する。この手順を３回繰り返す。最終蒸発後、白色残留物を１Ｍ  ＮａＯＨ（１００ｍＬ）中に溶解し、ジエチルエーテル（２ｘ１５０ｍＬ）で抽出する。抽出物を、一緒にし、Ｎａ２ＳＯ４で乾燥し、濾過し、乾燥度に蒸発し、１−アミノ−２，２、ジブチル−２−フェニルエタン（３）、重量＝６．４ｇ（９０％）を得る。
【００６０】
工程３．３，４−ジヒドロ−４，４−ジベンジル−イソキノリン（５）の調製：追加の漏斗、乾燥アルゴン入口、磁気攪拌棒、温度計、ディーンスタークトラップ及び加熱浴を備えた火焔乾燥１００ｍＬ三つ口丸底フラスコに１−アミノ−２，２、ジブチル−２−フェニルエタン（（３）、５．０ｇ、０．０１６６モル）とトルエン（２５ｍＬ）を添加する。追加の漏斗にギ酸（５．０ｇ）を添加する。ギ酸を、攪拌している反応溶液に６０分かけてゆっくりと添加し、固体が生成する。添加が完了すると、反応物を還流させ、水をディーンスタークトラップを介して除去する。反応が完了したら、トルエンを除去し、Ｎ−ホルミル−β，β−ジブチル−β−フェネチルアミン（４）、重量＝４．９ｇ（９０％）を得る。次に、ホルムアミド（４）を標準ビシュラー（Bischler）／ナピラルスキー（Napieralski）条件を使用し、１７０℃で１８時間、ポリリン酸（３０ｇ）／五酸化リン（６ｇ）と接触する。次に、反応物を水性ＮａＯＨで中和し、温度を６０〜８０℃に維持する。中性になったら、製品をトルエンで抽出し、３，４−ジヒドロ−４，４−ジベンジル−イソキノリン（５）を得る。製品は、シリカゲル上で更に精製されてよい。
【００６１】
工程４．３，４−ジヒドロ−４，４−ジブチル−２−（３−スルホプロピル）イソキノリニウム、内部塩（６）の調製：火焔乾燥１００ｍＬ底フラスコに３，４−ジヒドロ−４，４−ジベンジル−イソキノリン（（５）３．０ｇ；０．０１０モル）とアセトニトリル（２５ｍＬ）を添加する。溶液をアルゴンの下で室温で攪拌し、溶液に１，２−オキサチオラン−２，２−ジオキシド（１．３４ｇ；０．０１１モル）を添加する。反応物を５０℃に暖め、１８時間攪拌する。反応物を室温に冷却し、終夜室温のままにする。形成した固体を濾過により収集し、冷アセトニトリルで洗浄し、３，４−ジヒドロ−４，４−ジブチル−２−（３−スルホプロピル）イソキノリニウム（６）を得る。
【００６２】
（実施例２）：３，４−ジヒドロ−４，４−ジペンチル−２−（３−スルホプロピル）イソキノリニウム、内部塩の調製
工程１の塩化ベンジルを塩化ペンチルで置換し、実施例１により所望の製品を調製する。
【００６３】
（実施例３）：３，４−ジヒドロ−４，４−ジヘキシル−２−（３−スルホプロピル）イソキノリニウム、内部塩の調製
工程１の塩化ベンジルを塩化ヘキシルで置換し、実施例１により所望の製品を調製する。
【００６４】
（実施例４）：３，４−ジヒドロ−４，４−ジブチル−２−（３−スルホプロピル）イソキノリニウム、内部塩の調製
工程１の塩化ベンジルを塩化ブチルで置換し、実施例１により所望の製品を調製する。
【００６５】
（実施例５）：３，４−ジヒドロ−４，４−ジ（２−メチルフェニルメチル）−２−（３−スルホプロピル）イソキノリニウム、内部塩の調製
工程１の塩化ベンジルを２−メチルベンジルクロリドで置換し、実施例１により所望の製品を調製する。
【００６６】
（実施例６）：３，４−ジヒドロ−４，４−ジ（３−メチルフェニルメチル）−２−（３−スルホプロピル）イソキノリニウム、内部塩の調製
工程１の塩化ベンジルを３−メチルベンジルクロリドで置換し、実施例１により所望の製品を調製する。
【００６７】
（実施例７）：３，４−ジヒドロ−４，４−ジ（４−メチルフェニルメチル）−２−（３−スルホプロピル）イソキノリニウム、内部塩の調製
工程１の塩化ベンジルを４−メチルベンジルクロリドで置換し、実施例１により所望の製品を調製する。
【００６８】
（実施例８）：３，４−ジヒドロ−４，４−ジ（シクロヘキシルメチル）−２−（３−スルホプロピル）イソキノリニウム、内部塩の調製
工程１の塩化ベンジルをクロロメチルシクロヘキサン（ポリヘドロン（Polyhedron）１９９２年、１１（２４）巻、３１２３〜８頁、コエ（Coe）らによりシクロヘキサンメタノールから調製された）で置換し、実施例１により所望の製品を調製する。
【００６９】
（実施例９）：３，４−ジヒドロ−４，４−ジ（フェニルメチル）−２−（３−スルホプロピル）イソキノリニウム、内部塩の調製
工程４の１，２−オキサチオラン−２，２−ジオキシドを１，２−オキサチアン−２，２−ジオキシドで置換し、実施例１により所望の製品を調製する。
【００７０】
（実施例１０）：３，４−ジヒドロ−４，４−ジ（フェニルメチル）−２−［３−（スルホオキシ）エチル］イソキノリニウム、内部塩の調製
工程４の１，２−オキサチオラン−２，２−ジオキシドを１．３．２−ジオキサチオラン−２，２−ジオキシドで置換し、実施例１により所望の製品を調製する。
【００７１】
（実施例１１）：３，４−ジヒドロ−４，４−ジ（フェニルメチル）−２−［３−（スルホオキシ）プロピル］イソキノリニウム、内部塩の調製
工程４の１，２−オキサチオラン−２，２−ジオキシドを１．３．２−ジオキサチオラン−２，２−ジオキシドで置換し、実施例１により所望の製品を調製する。
【００７２】
（実施例１２）：３，４−ジヒドロ−４，４−ジ（４−メチルフェニルメチル）−７−メチル−２−（３−スルホプロピル）イソキノリニウム、内部塩の調製
工程１：４−メチル−α−（４−メチルフェニル）−α−［（４−メチルフェニル）メチル］−ベンゼンプロパンニトリルの調製
パートａ．シリカ触媒の調製：シリカ（ＭＫＣ−５００、比表面積４９７ｍ２ｇ−１；ニッキケミカル（Nikki Chemical）から入手した）を６ＮＨＣＬで処理して活性化し、真空中１２０℃で乾燥した。活性シリカゲル７．０ｇとトルエン８０ｍＬの混合物をフラスコ内に定置し、１時間攪拌する。次に、２５ｍＬのＮ−（２−アミノエチル）−３−アミノプロピルトリメトキシシラン（ＳＨ−６０２０；トロイ（Troy）シリコンから入手した）を注射器により注入し、生じた混合物を８時間オイルバスで還流する。冷却後、シリカゲルを濾過し、ソキシレット抽出器（soxhlet extractor）中でベンゼンで１２時間洗浄する。精製シリカをジエチルエーテルで再度３回洗浄し、空気中で終夜そのままにする。次に、精製シリカ１グラムを１．５ｍＬジオキサン中に８時間吊るし、その後、４．３ｍＬの１，１０−ジブロモデカンを添加し、混合物をオイルバス内で終夜８０℃で攪拌する。次に、シリカをガラスフィルターで濾過し、ジオキサン、アセトン及び１％ＮＨ４ＯＨで洗浄し、続いてアセトン及びジエチルエーテルで洗浄する。そのようにして得られたシリカを減圧下５０℃で終夜乾燥する。
【００７３】
パートｂ．４−メチル−α−（４−メチルフェニル）−α−［（４−メチルフェニル）メチル］−ベンゼンプロパンニトリルの調製：５ｍＬの５０％ＮａＯＨ水溶液に溶解した１．０ｇ（２モル）のシアン化ナトリウム（９５％）を収容するフラスコに０．３ｇのシリカ触媒を仕込み、その後で４−メチルベンジルクロリド（６．８モル）と１ｍＬのトルエンを仕込む。フラスコをオイルバス中に定置し、４８時間、攪拌した状態で４０℃で加熱し、その後１０ｍＬのトルエンを添加する。有機層を濾過し、ろ液を蒸発し、４−メチル−α−（４−メチルフェニル）−α−［（４−メチルフェニル）メチル］−ベンゼンプロパンニトリルを得る。
【００７４】
工程２．４−メチル−α−（４−メチルフェニル）−α−［（４−メチルフェニル）メチル］−ベンゼンプロパンアミンの調製：α、α−ジブチル−ベンゼンアセトニトリルを４−メチル−α−（４−メチルフェニル）−α−［（４−メチルフェニル）メチル］−ベンゼンプロパンニトリルで置換し、実施例１、工程２により所望の製品を調製する。
【００７５】
工程３．３，４−ジヒドロ−４，４−ジ（４−メチルフェニルメチル）−７−メチル−イソキノリンの調製：１−アミノ−２，２−ジブチル−２−フェニルエタンを４−メチル−α−（４−メチルフェニル）−α−［（４−メチルフェニル）メチル］−ベンゼンプロパンアミンで置換し、実施例１、工程３により所望の製品を調製する。
【００７６】
工程４．３，４−ジヒドロ−４，４−ジ（４−メチルフェニルメチル）−７−メチル−２−（３−スルホプロピル）イソキノリニウム、内部塩の調製：３，４−ジヒドロ−４，４−ジベンジル−イソキノリンを３，４−ジヒドロ−４，４−ジ（４−メチルフェニルメチル）−７−メチル−イソキノリンで置換し、実施例１、工程４により所望の製品を調製する。
【００７７】
（実施例１３）：３，４−ジヒドロ−４，４−ジ（４−イソ−プロピルフェニルメチル）−７−イソ−プロピル−２−（３−スルホプロピル）イソキノリニウム、内部塩の調製
４−メチルベンジルクロリドを４−イソ−プロピルベンジルクロリドで置換し、実施例１２により所望の製品を調製する。
【００７８】
（実施例１４）：式３（式中、Ｒ１は、独立して水素、メチル、エチル、及びこれらの混合物）の触媒を含む有機触媒混合物の同時調製。
【化４】
2008546862.tif 000005
【００７９】
４−メチルベンジルクロリドを塩化ベンジル（Ｒ１＝Ｈの場合の供給源）、４−メチルベンジルクロリド（Ｒ１＝メチルの場合の供給源）、及び４−エチルベンジルクロリド（アメリカ合衆国、サウスカロライナ州２９１７２、ウエストコロンビア（West Columbia）のオークウッド・プロダクツ社（Oakwood Products, Inc.）；Ｒ１＝エチルの場合の供給源）の混合物で置換し、実施例１２により所望の製品の混合物を調製する。これにより１８の異なる有機触媒化合物の混合物が生じる。
【００８０】
（実施例１５）
顆粒洗濯洗剤の形態を有する漂白洗剤組成物は、以下の配合によって例示される。
【表１】
2008546862.tif 000006
＊  実施例１〜１４又はその混合物により調製された有機触媒
【００８１】
上記組成物の全てが、水中の濃度３５００ｐｐｍ、２５℃、水：布比２５：１で布地を洗濯するために使用される。典型的なｐＨは、約１０であるが、アルキルベンゼンスルホン酸塩の酸とＮａ塩形態の比率を変えることにより調節できる。
【００８２】
（実施例１６）
顆粒洗濯洗剤の形態を有する漂白洗剤組成物は、以下の配合によって例示される。
【表２】
2008546862.tif 000007
＊  実施例１〜１４又はその混合物により調製された有機触媒
【００８３】
上記組成物の全ては、水中の濃度１０，０００ｐｐｍ、２０〜９０℃、水：布比５：１で布地を洗濯するために使用される。典型的なｐＨは、約１０であるが、アルキルベンゼンスルホン酸塩の酸とＮａ塩形態の比率を変えることにより調節できる。
【００８４】
（実施例１７）
顆粒洗濯洗剤の形態を有する漂白洗剤組成物は、以下の配合によって例示される。
【表３】
2008546862.tif 000008
＊  トルエンスルホン酸ナトリウム等のその他の向水性物質も使用されてよい。
＊＊  実施例１〜１４又はそれらの混合物により調製された有機触媒。
＊＊＊  ウルトラマリンブルー（Ultramarine Blue）又はアゾ−ＣＭ−セルロース（Azo-CM-Cellulose）（アイルランド、ウィックロウ（Wicklow）のメガザイム（Megazyme））等
＊＊＊＊  ＰＣＴ国際公開特許ＷＯ００／０２９９１により調製した。
【００８５】
上記組成物の全てが、水中の濃度５００〜１５００ｐｐｍ、５〜２５℃、水：布比１５：１−２５：１で布地を洗濯するために使用される。典型的なｐＨは、約９．５〜１０であるが、アルキルベンゼンスルホン酸塩の酸とＮａ塩形態の比率を変えることにより調節できる。
【００８６】
（実施例１８）
以下にリストアップした有機触媒を、［過酢酸］＝５．０ｐｐｍ、［有機触媒］＝０．５ｐｐｍを使用した出願人らの有機触媒／酵素適合性試験により試験し、以下の結果を得る。
【表４】
2008546862.tif 000009
＊  項目１及び２は、各々硫酸モノ−［２−（３，４−ジヒドロ−イソキノリン−２−イル）−１−（１，１−ジメチルエトキシ）メチル）エチル］エステル、内部塩及び硫酸モノ−［２−（３，４−ジヒドロ−イソキノリン−２−イル）−１−（２−エチル−ヘキシルオキシメチル）−エチル］エステル、内部塩であり、それらは出願人らの式１及び２に包含されない。
＊＊  Ｒ１は、項目３〜５の場合水素である。
【００８７】
本発明の特定の実施形態が例示および説明されてきたが、本発明の精神及び範囲から逸脱することなく他の様々な変更及び修正を行えることが当業者には明白であろう。したがって、本発明の範囲内にあるそのような全ての変更及び修正を、添付の特許請求の範囲で扱うものとする。
【国際調査報告】
2008546862.tif 000014
2008546862.tif 000015